(57)【要約】【課題】タッチペンとしての使用とアンテナとしての使用を両立させることが容易であり、しかも紛失しにくい携帯型電子機器用のアクセサリを提供する。【解決手段】本発明は、筐体にタッチペンにて操作可能な表示画面と、筐体外面にアンテナ入力端子を備えた携帯型電子機器に用いるアクセサリに関する。該アクセサリは、一端部にアンテナ入力端子に着脱可能に装着されるプラグ部を設けた長尺状のアンテナ体と、一端部が該アンテナ体のプラグ部に着脱自在に被さり、他端部にタッチペンのペン先となるペン入力子を設けた第１のキャップ体と、一端部が該第１のキャップ体のペン入力子に被さる第２のキャップ体を備えている。アンテナ体と第２のキャップ体の少なくとも一方に、携帯型電子機器の筐体又はその被覆物に取り付けられる紐状体が設けられている。【選択図】  図３
2016163226.tif 000002
【特許請求の範囲】
【請求項１】
筐体にタッチペンにて操作可能な表示画面と、筐体外面にアンテナ入力端子を備えた携帯型電子機器に用いるアクセサリであって、
一端部に前記アンテナ入力端子に着脱可能に装着されるプラグ部を設けた長尺状のアンテナ体と、
一端部が該アンテナ体のプラグ部に着脱自在に被さり、他端部に前記タッチペンのペン先となるペン入力子を設けた第１のキャップ体と、一端部が該第１のキャップ体の前記ペン入力子に被さる第２のキャップ体を備え、
前記アンテナ体と前記第２のキャップ体の少なくとも一方に、前記携帯型電子機器の筐体又はその被覆物に取り付けられる紐状体が設けられている、携帯型電子機器用のアクセサリ。
【請求項２】
前記アンテナ体は、電波を受信するアンテナ部を前記プラグ部に対して回動可能に取り付けて構成される、請求項１に記載の携帯型電子機器用のアクセサリ。
【請求項３】
前記アンテナ体は剛体であって、前記第１のキャップ体が前記プラグ部に被さった状態で、前記タッチペンの把持部を構成する、請求項１又は２に記載の携帯型電子機器用のアクセサリ。
【請求項４】
前記アンテナ部は、複数の円筒体を同心円状に組み合わせて、伸縮可能に構成された多段式アンテナを有する、請求項２に記載の携帯型電子機器用のアクセサリ。
【請求項５】
前記携帯型電子機器の筐体の被覆物は、該筐体を保護するためのカバーである、請求項１乃至４の何れかに記載の携帯型電子機器用のアクセサリ。
【請求項６】
前記アンテナ体の前記プラグ部は、ＧＮＤに対応した極が通電可能で、他の極が絶縁されている、請求項１乃至５の何れかに記載の携帯型電子機器用のアクセサリ。
【発明の詳細な説明】
【技術分野】
【０００１】
本発明は、スマートフォンのような携帯型電子機器に用いるアクセサリに関する。
【背景技術】
【０００２】
スマートフォンのような携帯型電子機器にあっては、地上デジタル放送の如き、テレビ放送を受信可能なものがある。また、かかる携帯型電子機器にはタッチパネルとして情報を入力することがことができる表示画面を備えたものも一般的である。表示画面には使用者の指の他に、専用のタッチペンでも情報が入力され得る。
特許文献１には、テレビ放送を受信するアンテナ機能を持たせたタッチペンを収容可能な携帯型電子機器が開示されている。これは、携帯型電子機器の筐体にタッチペンが挿入される凹部を設け、該凹部の内面にアンテナ入力端子を設けている。タッチペンの先端部外周面にアンテナ入力端子に接する接触端子を設け、タッチペンが凹部内に挿入された状態で、アンテナ入力端子が接触端子に接して、テレビ放送を受信することができる。つまり、接触端子はタッチペンのペン先よりも内径が大きく形成されている。
【先行技術文献】
【特許文献】
【０００３】
【特許文献１】特開２００６-１２９４０４号公報
【発明の概要】
【発明が解決しようとする課題】
【０００４】
携帯型電子機器には音楽聴取用の雄型コネクタであるイヤホンプラグを差し込むことができるものもある。近年このイヤホンプラグのＧＮＤ部をテレビ放送の受信用に用いる規格が提案されている。つまり、該規格ではイヤホンプラグが差し込まれる雌型コネクタであるジャックをアンテナ入力端子としても用いる。このジャックは、携帯型電子機器の筐体外面に露出しており、しかも小型であるから、特許文献１に開示されたような内径の大きな接触端子を有するタッチペンをそのままジャックに挿入することはできない。逆にタッチペンをジャックに合わせて小径にすると、タッチペンとしての操作性が悪くなる。即ち、かかる規格の下にあっては、特許文献１に開示されたようなタッチペンでは、タッチペンとしての使用とアンテナとしての使用を両立させることが難しい。また、タッチペンを携帯型電子機器から取り外せば、該タッチペンを紛失し易いデメリットがある。
本発明の目的は、タッチペンとしての使用と携帯型電子機器に露出したアンテナ入力端子に装着されるアンテナとしての使用を両立させることが容易であり、しかも紛失しにくい携帯型電子機器用のアクセサリを提供することにある。
【課題を解決するための手段】
【０００５】
筐体にタッチペンにて操作可能な表示画面と、筐体外面にアンテナ入力端子を備えた携帯型電子機器に用いるアクセサリであって、
一端部に前記アンテナ入力端子に着脱可能に装着されるプラグ部を設けた長尺状のアンテナ体と、一端部が該アンテナ体のプラグ部に着脱自在に被さり、他端部に前記タッチペンのペン先となるペン入力子を設けた第１のキャップ体と、一端部が該第１のキャップ体の前記ペン入力子に被さる第２のキャップ体を備え、
前記アンテナ体と前記第２のキャップ体の少なくとも一方に、前記携帯型電子機器の筐体又はその被覆物に取り付けられる紐状体が設けられている。
【発明の効果】
【０００６】
１．アクセサリをタッチペンとして使用する時は、第２のキャップ体だけを外して、第１のキャップ体のペン入力子を露出させる。第１のキャップ体とアンテナ体とが一体となって、タッチペンとしての機能を発揮する。
アクセサリをアンテナとして使用するときは、第１のキャップ体を外して、プラグ部を露出させ、該プラグ部を携帯型電子機器のアンテナ入力端子に装着する。即ち、第１のキャップ体と第２のキャップ体を選択的に取り外すだけで、タッチペンとしての使用とアンテナとしての使用を容易に切り換え、両立させることが出来る。
２．アンテナ体と第２のキャップ体の少なくとも一方に設けられた紐状体は、携帯型電子機器の筐体又はその被覆物に取り付けられるから、アクセサリが不用意に携帯型電子機器又は被覆物から落下等せず、紛失しにくくなる。
【図面の簡単な説明】
【０００７】
【図１】携帯型電子機器とアクセサリの斜視図である。
【図２】アンテナ入力端子に接続されるイヤホンプラグの拡大図である。
【図３】(a)は、アクセサリの全体図であり、(b)は(a)に示すアクセサリの分解正面図である。
【図４】(a)は、アンテナ部の断面図であり、(b)は多段式アンテナが伸長した状態を示す図である。
【図５】携帯型電子機器の動作を制御するための内部構成を示すブロック図である。
【図６】携帯型電子機器の筐体保護用のカバーを示す斜視図である。
【図７】イヤホンプラグの詳細図である。
【発明を実施するための形態】
【０００８】
以下、本発明の実施形態を、図を用いて詳述する。なお、以下の記載では全ての図面において、同一又は相当部分には同一符号を付し、重複する説明を省略する。また、携帯型電子機器には、スマートフォンの他に、従来から存在する携帯電話やタブレット等があるが、説明の便宜上、ここではスマートフォンを例示する。
更に携帯型電子機器にて受信するテレビ放送として、１つの周波数帯域が１３のセグメントに分けられた地上デジタル放送を想定している。該受信するテレビ放送は１セグメントを受信する所謂ワンセグ放送のみならず、１３の全てのセグメントを受信する所謂フルセグ放送も含まれる。
【０００９】
図１は、携帯型電子機器５と、本実施形態にかかるアクセサリ１の斜視図である。携帯型電子機器５は筐体５０上に、表示画面５１を備えており、該表示画面５１には種々のアイコン５２が表示されている。各アイコン５２は周知の如く、携帯型電子機器５に内蔵された各種アプリケーションソフトの用途や機能を図や絵柄で示したものである。使用者は所望のアイコン５２を選択して、指又はタッチペンにて該アイコン５２に触れることにより、電話、インターネット網を介した情報通信等を行うことが出来、またテレビ放送を受信して視聴することも出来る。即ち、表示画面５１は、押圧操作された画面の位置を、画面の内側に配置された電極膜の電圧変化を測定することによって検知する抵抗膜方式の画面である。更に、特定のアイコン５２を選択して、タッチペンにて表示画面５１上に文字や数字を描くことにより、所望の操作を行うこともできる。
【００１０】
筐体５０の外面下端部には、テレビ放送受信用のアンテナ入力端子５３が設けられ、本実施形態では該アンテナ入力端子５３には音楽聴取用のイヤホンプラグをも接続することができる。なお、スマートフォンである携帯型電子機器５は電話機能もあるので、通話用のスピーカやマイクも備えているが、これらは周知の構成であるから、図示を省く。また、前記の電話、インターネット網を介した情報通信等を行う場合は、後記の如く、筐体５０に内蔵された無線通信アンテナを用いる。更に、アンテナ入力端子５３の位置は、筐体５０の外面下端部に限定されず、筐体５０の外面に露出した位置であればよい。更に、筐体５０には受信したテレビ放送内の音声信号を発するスピーカ５４が設けられている。スピーカ５４の場所は、図示の位置に限定されない。
アクセサリ１は長尺状であって一端部にストラップである紐状体１０が設けられている。この紐状体１０を筐体５０に取り付けることにより、アクセサリ１が携帯型電子機器５から離れて不用意に紛失することを防いでいる。
【００１１】
図２は、アンテナ入力端子５３に接続されるイヤホンプラグ６の拡大図である。かかるイヤホンプラグ６は国際規格であるＣＴＩＡ規格(Cellular Telecommunications Internet Association)又はＯＭＴＰ規格(Open Mobile Terminal Platform)に基づいて設けられ、先端側から奥部に向けて４つの極６０が形成されている。ＣＴＩＡ規格では先端部の極６０から順に左音声、右音声、ＧＮＤ、マイクに対応した極となっている。ＯＭＴＰ規格では先端部から３番目と４番目の極６０とがＣＴＩＡ規格とは逆になっている。つまり、ＣＴＩＡ規格では先端部から３番目の極６０、ＯＭＴＰ規格では４番目の極６０が夫々ＧＮＤである。
近年ＣＴＩＡ規格、ＯＭＴＰ規格ともこのイヤホンプラグ６のＧＮＤである極６０をテレビ放送の受信用に用いる内容が提案されている。つまり、テレビ放送の受信用アンテナにイヤホンプラグ６を設けて、該イヤホンプラグ６をアンテナ入力端子５３に挿入すれば、携帯型電子機器５は該受信用アンテナを介してテレビ放送を受信することができる。本実施形態では前記のアクセサリ１にアンテナとしての機能を持たせている。
この詳細は、後記するが、本実施形態ではＣＴＩＡ規格に準拠して、先端部から３番目の極６０をＧＮＤとしたイヤホンプラグ６を例示する。
【００１２】
図３(a)は、アクセサリ１の全体図であり、アクセサリ１を図１に示す状態とは上下逆向きに示している。図３(b)は図３(a)に示すアクセサリ１の分解正面図である。アクセサリ１は、一端部にアンテナ入力端子５３に着脱可能に装着されるプラグ部２１を設けた長尺状のアンテナ体２と、一端部がプラグ部２１に着脱自在に被さり、他端部にタッチペンのペン先となるペン入力子３０を設けた第１のキャップ体３と、一端部が該第１のキャップ体３のペン入力子３０に被さる第２のキャップ体を備えて構成される。アンテナ体２のプラグ部２１は、前記のイヤホンプラグ６を備えている。第２のキャップ体４の他端部に紐状体１０が設けられる。
【００１３】
アンテナ体２は、電波を受信する長尺状のアンテナ部２０をプラグ部２１に対して回動可能に取り付けて構成される。アンテナ部２０はその周面が金属等から形成された剛体であって、第１のキャップ体３がプラグ部２１に被さった状態で、タッチペンの把持部を構成する。これにより、アンテナ体２と第１のキャップ体３とが一体となった状態にて、タッチペンとして持ちやすくなる。
ペン入力子３０はタッチペンとして使用されるときに、表示画面５１に接触する部分である。ペン入力子３０は表示画面５１を押圧した際に、該表示画面５１を傷付けないように、シリコン等から形成される。
【００１４】
(アクセサリの使用形態)
アクセサリ１をタッチペンとして使用する時は、アンテナ体２に第１のキャップ体３を被せ、第２のキャップ体４を外して、第１のキャップ体３のペン入力子３０を露出させる。前記の如く、第１のキャップ体３とアンテナ体２とが一体となって、タッチペンとしての機能を発揮する。アンテナ体２が長尺状であるので使用者にとっては把持し易い。このとき、第２のキャップ体４の紐状体１０を携帯型電子機器５の筐体５０に取り付けておけば、該第２のキャップ体４を紛失する虞はない。
アクセサリ１をテレビ放送受信用のアンテナとして使用するときは、第１のキャップ体３を外して、プラグ部２１を露出させ、該プラグ部２１のイヤホンプラグ６を携帯型電子機器５のアンテナ入力端子５３に挿入する。使用者がテレビ視聴用のアイコン５２を操作し、テレビ放送を受信する旨を表示画面５１から入力すれば、携帯型電子機器５はアンテナ体２を介してテレビ放送を受信することができる。このとき、第１のキャップ体３と第２のキャップ体４とが結合した状態で、第２のキャップ体４の紐状体１０を携帯型電子機器５の筐体５０に取り付けておけば、該第１のキャップ体３と第２のキャップ体４を紛失する虞はない。
【００１５】
図４(a)は、アンテナ部２０の断面図である。アンテナ部２０は最も外側に位置する収納筒２２の内側に、複数の金属製の円筒体２４を同心円状に組み合わせて、伸縮可能に構成された多段式アンテナ２３を備えて構成される。最も内側の円筒体２４の先端部には、アンテナ体２の使用者が摘むことができる摘み２６が設けられている。
円筒体２４が収納筒２２に収納された待機状態から、使用者が摘み２６を引き出せば、図４(b)に示すように、円筒体２４が収納筒２２から順に引き出され、多段式アンテナ２３が伸長した状態となる。尚、最も外側の円筒体２４には収納筒２２から引き出され過ぎて、該収納筒２２から抜け出ることを防ぐストッパ(図示せず)が設けられている。また、図４(a)、(b)では、円筒体２４は２つしか設けられていないが、３つ以上であってもよい。
多段式アンテナ２３を伸長した状態から待機状態に戻すには、摘み２６を収納筒２２に向けて押し込み、複数の円筒体２４を収納筒２２内に収納する。
【００１６】
前記の如く、アンテナ体２はアンテナ部２０をプラグ部２１に対して回動可能に取り付けて構成される。従って、プラグ部２１をアンテナ入力端子５３に挿入した状態で、図４(b)に示すように、多段式アンテナ２３を伸長させて、アンテナ部２０をプラグ部２１に対して矢印Ｆ方向に回動させることにより、最も受信感度の良い位置に、アンテナ体２を向けることが出来る。アンテナ部２０はプラグ部２１を中心として１８０度回動することを想定しているが、アンテナ部２０の回動角度はこれに限定されない。
また、プラグ部２１をアンテナ入力端子５３に挿入した状態で、アンテナ体２の全体を図４(b)の矢印Ｇに示すように、アンテナ入力端子５３を中心として回転させることによっても、最も受信感度の良い位置に、アンテナ体２を向けることが出来る。
【００１７】
図５は、携帯型電子機器５の動作を制御するための内部構成を示すブロック図である。携帯型電子機器５は、表示画面５１に指又はタッチペンにて入力された内容を認識する入力認識部７０と、携帯型電子機器５全体の動作制御を司る主制御部７と、アンテナ入力端子５３に繋がったチューナであるＴＶ受信部７１と、無線通信部７２と、無線通信アンテナ７３を備えている。この無線通信部７２と無線通信アンテナ７３は、前記の如く、電話、インターネット網を介した情報通信等を行う場合に用いるものであり、筐体５０の外部から接続されるアンテナ体２とは別の機能を有する。前記スピーカ５４は主制御部７に繋がっている。尚、携帯型電子機器５の内部構成は他にも多くの構成部分を有するが、本実施形態の技術内容と関係が薄い構成部分の記載は省く。
また、携帯型電子機器５内には、受信感度が弱いＴＶ受信用アンテナが設けられている場合がある。本実施形態に係るアンテナ体２はそのようなＴＶ受信用アンテナの受信感度を補填する外付けアンテナとして利用することも可能である。
【００１８】
入力認識部７０は指又はタッチペンによる表示画面５１への入力が検出されると、その検出された入力情報の内容を解釈して、主制御部７に送る。
主制御部７は、通常は１つのＣＰＵで構成されて、入力認識部７０、ＴＶ受信部７１、無線通信部７２の動作を制御する。主制御部７は１つのＣＰＵに代えて、複数のＣＰＵの組み合わせであってもよい。また、主制御部７はＣＰＵとＡＳＩＣ(Application Specific Integrated Circuit)とを組み合わせて用いてもよい。アンテナ入力端子５３内には、アンテナ入力端子５３にアンテナ体２のプラグ部２１のイヤホンプラグ６が差し込まれた状態を検知するスイッチＳＷが設けられており、該スイッチＳＷは主制御部７に繋がっている。
【００１９】
アンテナ入力端子５３にアンテナ体２のプラグ部２１のイヤホンプラグ６が挿入されると、アンテナ入力端子５３内のスイッチＳＷはその旨を主制御部７に送信する。次に、使用者がテレビ視聴用のアイコン５２を操作し、テレビ放送を受信する旨を表示画面５１から入力すれば、入力認識部７０はその旨を主制御部７に送信する。主制御部７はＴＶ受信部７１を作動させて、アンテナ体２を介してテレビ放送を受信し、放送内容を表示画面５１に表示する。尚、アンテナ体２が受信した音声信号については後記する。
【００２０】
携帯型電子機器５の筐体５０は、図６に示すように、筐体５０保護用のカバー５９で覆われることがある。上記記載では、アクセサリ１の紐状体１０は筐体５０に取り付けられるとしたが、これに代えてカバー５９に取り付けてもよい。更にアクセサリ１の紐状体１０はカバー５９内に収納されてもよい。また、アクセサリ１はキーアクセサリや携帯型電子機器５のケースに収容や取り付けられてもよい。
また、紐状体１０は第２のキャップ体４に取り付けられるとしたが、アンテナ体２に取り付けられてもよい。
【００２１】
(プラグ部の仕様)
図７は、ＣＴＩＡ規格に準拠したプラグ部２１のイヤホンプラグ６の詳細図である。イヤホンプラグ６の極６０は、先端部から３番目のＧＮＤに対応した極６０のみが金属部分を露出させて通電可能となっており、他の極６０、即ち左音声、右音声、ＧＮＤ、マイクに対応した極６０は斜線で示すように、全て樹脂やゴム等で絶縁されている。ＧＮＤに対応した極６０のみが金属部分を露出していることで、アンテナ体２としての機能を果たす。左音声、右音声に対応した極６０が絶縁されているから、イヤホンプラグ６をアンテナ入力端子５３に挿入しても、アンテナ体２によって受信された音声信号はイヤホンプラグ６に流れない。その結果、音声信号は筐体５０のスピーカ５４に流れる。このようにして、視聴者はスピーカ５４からの音声信号を聴取することができる。
【００２２】
前記の如く、携帯型電子機器５のアンテナ入力端子５３に接続されるイヤホンプラグ６には、ＣＴＩＡ規格とＯＭＴＰ規格の２種類の規格があり、各規格でテレビ放送の受信用に用いる極６０の位置が異なる。従って、出願人は両規格に対応して極６０の位置が異なるプラグ部２１を備えた、２種類のアクセサリ１を用意する可能性も考慮している。
【産業上の利用可能性】
【００２３】
本発明の内容は、スマートフォンのような携帯型電子機器のアクセサリに用いると有用である。
【符号の説明】
【００２４】
１    アクセサリ
２    アンテナ体
３    第１のキャップ体
４    第２のキャップ体
５    携帯型電子機器
１０  紐状体
２０  アンテナ部
２１  プラグ部
３０  ペン入力子
５０  筐体
５１  表示画面
５９  カバー
【図１】
2016163226.tif 000003
【図２】
2016163226.tif 000004
【図３】
2016163226.tif 000005
【図４】
2016163226.tif 000006
【図５】
2016163226.tif 000007
【図６】
2016163226.tif 000008
【図７】
2016163226.tif 000009